(57)【特許請求の範囲】
【請求項１】
物品を保持する台座が設けられる支持板と、
支持板の後縁部に起伏可能に連結される前開き状の筒体をなし、支持板に対して後方から立ち上がる起立状態への起立過程で支持板上の台座を後方から包み込み可能にする内カバーと、
支持板の前縁部に起伏可能に連結される後開き状の筒体をなし、支持板に対して前方から立ち上がる起立状態への起立過程で支持板上の台座をすでに包み込んでいる起立状態の内カバーを前方から包み込む外カバーとを有してなることを特徴とする包装ボックス。
【請求項２】
前記外カバーが前面板と両側面板を有し、前面板の下縁部が支持板の前縁部に連結され、前面板の両側縁部に連結される両側面板が該前面板の側方にて後開き状をなすように展開可能にされてなり、
両側面板の下縁部と支持板の両側縁部とをつなぎ板により連結し、つなぎ板は、外カバーの伏せ状態で展開されて前面板と支持板を同一面上に維持し、外カバーの起立状態で側面板と支持板上の台座の側面との間に折り込まれる請求項１に記載の包装ボックス。
【請求項３】
前記内カバーと外カバーのそれぞれが、支持板の後縁部と前縁部のそれぞれに対し、それらの起立状態から概ね180度反転されて展示状態を形成し、支持板から取外された物品の台座が外カバーの前面板に取着されて該物品を展示可能にする請求項１又は２に記載の包装ボックス。
【請求項４】
前記台座が、磁力により支持板に着脱される請求項１〜３のいずれかに記載の包装ボックス。
【請求項５】
前記台座が、磁力により、展示状態にある外カバーの前面板に着脱される請求項３又は４に記載の包装ボックス。
【請求項６】
前記内カバーが、支持板上の台座を包み込む起立状態で、該台座の前面まわりにまで延びる抱き付き片を備えてなる請求項４に記載の包装ボックス。
【発明の詳細な説明】
【技術分野】
【０００１】
本発明は、花、宝石等のギフト用物品等を包装するとともに開封時にサプライズ効果を演出する包装ボックスに関する。
【背景技術】
【０００２】
包装ボックスとして、特許文献１に記載の花用ギフトパッケージがある。特許文献１に記載の花用ギフトパッケージは、花の基端部を支持する支持部材と、複数の板状体を互いに折り曲げ可能に連結することで構成されており、該複数の板状体を筒状にすることで前記支持部材の周りを取り囲んで前記花を収容する周壁を構成する一方、該複数の板状体を展開することで該支持部材に支持された該花を外部に露出させる周壁部材と、該周壁部材の展開に連動して前記支持部材の支持方向を変化させることにより、該支持部材で支持された前記花を前記周壁内に収容された状態から起き上がらせる連動起立手段とを有する。そして、前記連動起立手段が、前記複数の板状体において前記支持部材が起き上がる際の支点が接触する板状体の左右両側に位置する板状体のそれぞれと該支持部材を連結し、該二つの板状体の展開に伴って引っ張られることにより、該支持部材を起き上がらせて、該支持部材の支持方向を変化させる駆動力伝達テープを含んで構成されるものである。
【０００３】
特許文献１に記載の花用ギフトパッケージにあっては、周壁部材の展開、即ち、周壁部材を構成する複数の板状体の展開に連動して支持部材の支持方向が変化せしめられることで、支持部材によって支持された花が周壁内に収容された状態から起き上がるようになっていることから、花用ギフトパッケージを開封した人、又は周辺の人を、驚かせつつも、喜ばせることが可能になるとしている。
【先行技術文献】
【特許文献】
【０００４】
【特許文献１】特許4180640
【発明の概要】
【発明が解決しようとする課題】
【０００５】
特許文献１に記載の花用ギフトパッケージの開封時には、周壁部材の板状体を展開して支持部材に支持されている花を外部に露出させると同時に、支持部材及び花が周壁部材の周囲に起き上がる。このとき、支持部材及び花は周壁部材の周囲の外方スペースに突然と飛び出る如くに浮き上がるものであり、起き上がった花が開封した人、又はその周囲のスペースで目を凝らして待機していた人の顔面等に当たり、人や花に損傷を与えるおそれがある。
【０００６】
本発明の課題は、物品を包装するとともに開封時にサプライズ効果を演出する包装ボックスにおいて、人や物品に損傷を与えることなく開封することにある。
【課題を解決するための手段】
【０００７】
請求項１に係る発明は、物品を保持する台座が設けられる支持板と、支持板の後縁部に起伏可能に連結される前開き状の筒体をなし、支持板に対して後方から立ち上がる起立状態への起立過程で支持板上の台座を後方から包み込み可能にする内カバーと、支持板の前縁部に起伏可能に連結される後開き状の筒体をなし、支持板に対して前方から立ち上がる起立状態への起立過程で支持板上の台座をすでに包み込んでいる起立状態の内カバーを前方から包み込む外カバーとを有してなるようにしたものである。
【０００８】
請求項２に係る発明は、請求項１に係る発明において更に、前記外カバーが前面板と両側面板を有し、前面板の下縁部が支持板の前縁部に連結され、前面板の両側縁部に連結される両側面板が該前面板の側方にて後開き状をなすように展開可能にされてなり、両側面板の下縁部と支持板の両側縁部とをつなぎ板により連結し、つなぎ板は、外カバーの伏せ状態で展開されて前面板と支持板を同一面上に維持し、外カバーの起立状態で側面板と支持板上の台座の側面との間に折り込まれるようにしたものである。
【０００９】
請求項３に係る発明は、請求項１又は２に係る発明において更に、前記内カバーと外カバーのそれぞれが、支持板の後縁部と前縁部のそれぞれに対し、それらの起立状態から概ね180度反転されて展示状態を形成し、支持板から取外された物品の台座が外カバーの前面板に取着されて該物品を展示可能にするようにしたものである。
【００１０】
請求項４に係る発明は、請求項１〜３のいずれかに係る発明において更に、前記台座が、磁力により支持板に着脱されるようにしたものである。
【００１１】
請求項５に係る発明は、請求項３又は４に係る発明において更に、前記台座が、磁力により、展示状態にある外カバーの前面板に着脱されるようにしたものである。
【００１２】
請求項６に係る発明は、請求項４に係る発明において更に、前記内カバーが、支持板上の台座を包み込む起立状態で、該台座の前面まわりにまで延びる抱き付き片を備えてなるようにしたものである。
【発明の効果】
【００１３】
（請求項１）
(a)包装ボックスは、支持板に対して後方から立ち上がる起立状態の内カバーにより支持板上の台座を後方から包み込み、更に、支持板に対して前方から立ち上がる起立状態の外カバーにより上記内カバーを前方から包み込むことにより、台座上の物品を包装する。
【００１４】
そして、包装ボックスの開封時には、一方の片手で外カバーを持ち、外カバーが支持板に対して面一をなすように該外カバーを前方へ伏せる如くに展開する（伏せ状態という）と同時に、他方の片手で内カバーを支持板に対して後方へ展開する（伏せ状態という）ことにより、支持板上の台座を外部に露出させ、台座上の物品を開封する。このとき、支持板は概ね水平をなし、支持板上の台座に保持されている花等の物品は周囲に対して立ち上がり状をなす。
【００１５】
包装ボックスの上述の開封時に、支持板上の台座に保持されている物品は、支持板に対して起立状態にある内カバーと外カバーにより包み込まれていた包装状態から、それらの内カバーと外カバーが単に前後両側で展開されて開封状態とされ、支持板上の台座に保持されていた当初の立ち上がり状態のまま露出される。物品は内カバー及び外カバーが存在していなかったそれらの周囲の外方スペースに飛び出る如くに露出されるものでないから、開封した人、又はその周囲のスペースで目を凝らして待機していた人の顔面等に物品が当たる等がなく、人や物品に損傷を与えることなく開封できる。
【００１６】
(請求項２)
(b)前記外カバーが前面板と両側面板を有し、前面板の下縁部が支持板の前縁部に連結され、前面板の両側縁部に連結される両側面板が該前面板の側方にて後開き状をなすように展開可能にされてなり、両側面板の下縁部と支持板の両側縁部とをつなぎ板により連結し、つなぎ板は、外カバーの伏せ状態で展開されて前面板と支持板を同一面上に維持し、外カバーの起立状態で側面板と支持板上の台座の側面との間に折り込まれる。外カバーが前方へ伏せる如くに展開された開封状態で、つなぎ板は外カバーの前面板と支持板を同一面上に維持する。これにより、上述(a)の開封状態で、一方の片手で外カバーを水平に持つとき（他方の片手が内カバーから離れて例えば物品を取りに行っても）、支持板はつなぎ板の存在によって確実に水平を維持し、支持板上の台座に保持されている花等の物品を周囲に対して確実に立ち上がり状に保つ。
【００１７】
(請求項３)
(c)前記内カバーと外カバーのそれぞれが、支持板の後縁部と前縁部のそれぞれに対し、それらの起立状態から概ね180度反転されて展示状態を形成する。そして、支持板から取外された物品の台座を、この展示状態にある外カバーの前面板に取着して該物品を展示可能にする。包装ボックスをスタンド型の展示状態にして活用できる。
【００１８】
(請求項４)
(d)前記台座が、磁力により支持板に着脱される。内カバーと外カバーが前後両側へ展開された開封状態で、台座及び物品を支持板から簡易に取外し、プレゼント等することができる。
【００１９】
(請求項５)
(e)上述(d)で支持板から取外した台座及び物品を前述(c)の如くの展示状態にある外カバーの前面板に簡易に磁着して該物品を展示することもできる。
【００２０】
(請求項６)
(f)前記内カバーが、支持板上の台座を包み込む起立状態で、該台座の前面まわりにまで延びる抱き付き片を備える。内カバーと外カバーの包装状態で台座が上述(d)の支持板への磁着位置からずれていたとき、内カバーを後方へ展開する開封過程で、内カバーの抱き付き片が台座を引き起こして該台座を支持板への正しい磁着位置にセットし直し、台座を支持板に磁着させることができる。
【図面の簡単な説明】
【００２１】
【図１】図１は包装ボックスの開封手順を示す模式図である。
【図２】図２は包装ボックスの展開図である。
【図３】図３は台座の展開図である。
【図４】図４は中子の展開図である。
【図５】図５は包装ボックスの組立手順を示す模式図である。
【図６】図６は包装ボックスの展示状態を示す模式図である。
【図７】図７は台座による花の保持構造を示す模式図である。
【図８】図８は包装ボックスの展示状態の変形例を示す模式図である。
【発明を実施するための形態】
【００２２】
包装ボックス１００は、図１に示す如く、物品として例えば花１を包装するとともに、開封によって予期されていない花１が包装ボックス１００の内側に立っていたり（図１（Ｂ））、包装ボックス１００から花１を取外してプレゼントできる（図１（Ｃ））等のサプライズ効果を演出するものである。
【００２３】
包装ボックス１００は、本実施例では板紙からなり（但し、プラスチック製であっても良い）、支持板１０と内カバー２０と外カバー３０とを有する。支持板１０は、矩形板状をなし、花１を保持する台座５０が設けられる。内カバー２０は、支持板１０の後縁部１１に起伏可能に連結される前開き状の筒体をなし、支持板１０に対して後方から立ち上がる起立状態への起立過程で支持板１０上の台座５０を後方から包み込み可能にする。外カバー３０が、支持板１０の前縁部１２に起伏可能に連結される後開き状の筒体をなし、支持板１０に対して前方から立ち上がる起立状態への起立過程で、支持板１０上の台座５０を既に包み込んでいる起立状態の内カバー２０を前方から包み込む。尚、本実施例では、支持板１０に対して内カバー２０が存在する側を後方、支持板１０に対して外カバー３０が存在する側を前方というものとする。
【００２４】
内カバー２０は、図２に示す如く、後面板２１と両側面板２２と天面板２３を有し、本実施例では更に折返し板２４を有する。後面板２１の下縁部が支持板１０の後縁部１１に連結され、両側面板２２と天面板２３が後面板２１の両側縁部と上縁部のそれぞれから立ち上げられ、両側面板２２の上縁部に設けられる糊付フラップ２２Ａが天面板２３の裏面に糊付けされる。折返し板２４が天面板２３の先端部から折返されて天面板２３の内面との間に糊付フラップ２２Ａを挟み、折返し板２４の先端部に設けられる糊付フラップ２４Ａが後面板２１の内面に糊付けされる。これにより、両側面板２２と天面板２３により前面開口部２５を囲んだ前開き状の筒体としての内カバー２０が形成される。
【００２５】
内カバー２０が備える抱き付き片２６、吊下げ片２７については後述する。
【００２６】
外カバー３０は、図２に示す如く、前面板３１と両側面板３２とを有し、本実施例では更に両包み込み片３３を有する。前面板３１の下縁部が支持板１０の前縁部１２に連結され、前面板３１の両側縁部に連結される両側面板３２が前面板３１の側方にて後開き状をなすように展開可能にされる。両包み込み片３３のそれぞれが各側面板３２の側縁部に連結され、両包み込み片３３は内カバー２０の後面板２１まわりで互いに重ねられて内カバー２０を包み込む。
【００２７】
包装ボックス１００は、外カバー３０の両側面板３２の下縁部３２Ａと支持板１０の両側縁部１３とをＬ字状のつなぎ板４０により連結している。包装ボックス１００の展開状態で、つなぎ板４０は、側面板３２の下縁部３２Ａと支持板１０の側縁部１３の交差部から、それらの下縁部３２Ａ、側縁部１３に対して45度をなす谷折り罫線４１を備える。これにより、つなぎ板４０は、外カバー３０の伏せ状態（支持板１０に対して面一をなす）で谷折り罫線４１を谷折りされずに展開されて、前面板３１と支持板１０を同一面上に維持するように突張る。他方、つなぎ板４０は、外カバー３０の起立状態で、谷折り罫線４１を谷折りされ、側面板３２と支持板１０上の台座５０の側面（本実施例では台座５０を包み込んでいる起立状態の内カバー２０の側面板２２）との間に折り込まれる。
【００２８】
台座５０は、本実施例では、支持板１０に着脱される。台座５０は、図３に示す如く、板紙からなり（但し、プラスチック製であっても良い）、底板５１と４個の胴板５２と蓋板５２と蓋板５３とを有し、六面体をなす。蓋板５３の中央に孔５３Ａ（図７）を備える。
【００２９】
台座５０は、中子６０を内蔵する（図７）。中子６０は、図４に示す如く、板紙からなり（但し、プラスチック製であっても良い）、段板６１と４個の脚板６２とを有し、台座５０の胴板５２の内側に脚板６２を沿わせて立設し、台座５０の高さ方向の中間に段板６１を位置付け、段板６１の中央に孔６１Ａ（図７）を備える。花１の茎１Ａが台座５０の蓋板５３の孔５３Ａから、中子６０の段板６１の孔６１Ａに差し込まれ、花１を垂直に保持する。
【００３０】
台座５０は、磁力により支持板１０に着脱される。即ち、台座５０の底板５１の裏面に磁石５１Ｍが貼着され、台座５０の磁石５１Ｍが支持板１０の上面に貼着してある鉄板１０Ｆに磁着する。
【００３１】
台座５０は、磁力により、後述する如くの展示状態にある外カバー３０の前面板３１に着脱される。即ち、台座５０の胴板５２の裏面に磁石５２Ｍが貼着され、台座５０の磁石５２Ｍが外カバー３０の前面板３１の適宜高さ位置に貼着してある鉄板３０Ｆ（図６（Ｃ））に磁着する。
【００３２】
尚、内カバー２０は、支持板１０上の台座５０を包み込む起立状態で、台座５０の前面まわりにまで延び、台座５０の胴板５２に抱き付く舌片状の抱き付き片２６を、両側面板２２の下端側の側縁部に備える。
【００３３】
内カバー２０は、後述する展示状態で用いられる吊り下げ片２７を、折返し板２４に備える。折返し板２４から切り起こされる吊り下げ片２７が、天面板２３の先端部の側から立ち上げられ、吊り下げに供される（図８）。
【００３４】
包装ボックス１００は、後述する展示状態で、支持板１０の後縁部１１と前縁部１２のそれぞれに対し、それらの起立状態から概ね180度反転された内カバー２０と外カバー３０を互いに磁着して展示状態を形成するための、磁石２０Ｍ、３０Ｍ（一方は鉄板でも可）(図６（Ｂ）)を、それらの後面板２１と前面板３１の上端側の外面に備える。
【００３５】
以下、包装ボックス１００の組立手順、開封手順、展示手順について説明する。
(A)包装ボックス１００の組立手順（図５）
(1)包装ボックス１００の支持板１０、内カバー２０、外カバー３０、つなぎ板４０を展開する（図５（Ａ））。
【００３６】
(2)花１の茎１Ａが差し込まれた台座５０を支持板１０の上に磁着させておく（図５（Ｂ））。
【００３７】
(3)内カバー２０を支持板１０に対して後方から立ち上げて起立状態とし（図５（Ｂ））、支持板１０上の台座５０を後方から包み込む（図５（Ｃ））。その後、内カバー２０の抱き付き片２６で、支持板１０上の台座５０の前面まわりを抱き込む。
【００３８】
(4)支持板１０及び内カバー２０を外カバー３０に対して倒す（図５（Ｄ））。これは換言すれば、外カバー３０を支持板１０に対して前方から立ち上げて起立状態とするものであり、この起立状態で、支持板１０上の台座５０を上述(3)で既に包み込んでいる起立状態の内カバー２０を、前方から包み込むものになる。このとき、つなぎ板４０は、谷折り罫線４１を前述の如くに谷折りされる。これにより、外カバー３０の前面板３１、両側面板３２により内カバー２０を包み込み、最後に両包み込み片３３を重ねて内カバー２０を包み込み（図５（Ｅ））、包装ボックス１００の包装を完了する（図５（Ｆ））。
【００３９】
即ち、包装ボックス１００にあっては、支持板１０に対して後方から立ち上がる起立状態の内カバー２０により支持板１０上の台座５０を後方から包み込み、更に、支持板１０に対して前方から立ち上がる起立状態の外カバー３０により上記内カバー２０を前方から包み込むことにより、台座５０上の花１を包装する。
【００４０】
(B)包装ボックス１００の開封手順（図１）
(1)一方の片手で外カバー３０を持ち、外カバー３０が支持板１０に対して面一をなすように該外カバー３０を前方へ伏せる如くに展開する（伏せ状態という）と同時に、他方の片手で内カバー２０を支持板１０に対して後方へ展開する（伏せ状態という）ことにより、支持板１０上の台座５０を外部に露出させ、台座５０上の花１を開封する。このとき、支持板１０は概ね水平をなし、支持板１０上の台座５０に保持されている花１は周囲に対して立ち上がり状をなす（図１（Ａ）、（Ｂ））。
【００４１】
即ち、包装ボックス１００の開封時には、支持板１０上の台座５０に保持されている花１は、支持板１０に対して起立状態にある内カバー２０と外カバー３０により包み込まれていた包装状態から、それらの内カバー２０と外カバー３０が単に前後両側で展開されて開封状態とされ、支持板１０上の台座５０に保持されていた当初の立ち上がり状態のまま露出される。花１は内カバー２０及び外カバー３０が存在していなかったそれらの周囲の外方スペースに飛び出る如くに露出されるものでないから、開封した人、又はその周囲のスペースで目を凝らして待機していた人の顔面等に花１が当たる等がなく、人や花１に損傷を与えることなく開封できる。
【００４２】
また、包装ボックス１００にあっては、前記外カバー３０が前面板３１と両側面板３２を有し、前面板３１の下縁部が支持板１０の前縁部１２に連結され、前面板３１の両側縁部に連結される両側面板３２が該前面板３１の側方にて後開き状をなすように展開可能にされてなり、両側面板３２の下縁部と支持板１０の両側縁部１３とをつなぎ板４０により連結し、つなぎ板４０は、外カバー３０の伏せ状態で展開されて前面板３１と支持板１０を同一面上に維持し、外カバー３０の起立状態で側面板３２と支持板１０上の台座５０の側面との間に折り込まれる。外カバー３０が前方へ伏せる如くに展開された開封状態で、つなぎ板４０は外カバー３０の前面板３１と支持板１０を同一面上に維持する。これにより、上述の開封状態で、一方の片手で外カバー３０を水平に持つとき（他方の片手が図１（Ｃ）に示す如くに内カバー２０から離れて例えば台座５０と花１を取りに行っても）、支持板１０はつなぎ板４０の存在によって確実に水平を維持し、支持板１０上の台座５０に保持されている花等の花１を周囲に対して確実に立ち上がり状に保つ。
【００４３】
また、包装ボックス１００にあっては、前記内カバー２０が、支持板１０上の台座５０を包み込む起立状態で、該台座５０の前面まわりにまで延びる抱き付き片２６を備える。内カバー２０と外カバー３０の包装状態で台座５０が上述の支持板１０への磁着位置からずれていたとき、内カバー２０を後方へ展開する開封過程で、内カバー２０の抱き付き片２６が台座５０を引き起こして該台座５０を支持板１０への正しい磁着位置にセットし直し、台座５０を支持板１０に磁着させることができる。
【００４４】
(2)内カバー２０と外カバー３０が前後両側へ展開された開封状態で、台座５０及び花１を支持板１０から簡易に取外し、プレゼント等することができる（図１（Ｃ））。
【００４５】
(C)包装ボックス１００の展示状態（図６、図８）
(1)内カバー２０と外カバー３０のそれぞれを、支持板１０の後縁部１１と前縁部１２のそれぞれに対し、それらの前述（A）の起立状態から概ね180度反転する（図６（Ａ）、（Ｂ））。そして、内カバー２０と外カバー３０の上端側の裏面に設けてある磁石２０Ｍ、３０Ｍを互いに磁着させ、展示状態を形成する（図６（Ｂ））。
【００４６】
(2)包装ボックス１００から取外した花１の台座５０が、上述(1)の外カバー３０の前面板３１に取着されて花１を展示可能にする（図６（Ｃ）、（Ｄ））。台座５０の磁石５２Ｍが外カバー３０の鉄板３０Ｆに被着される。
【００４７】
即ち、包装ボックス１００にあっては、支持板１０から取外された花１の台座５０を、この展示状態にある外カバー３０の前面板３１に取着して該花１を展示可能にする。包装ボックス１００をスタンド型の展示状態にして活用できる。
【００４８】
尚、包装ボックス１００にあっては、内カバー２０に設けてある吊り下げ片２７を天面板３１の上端部の側から立ち上げ、図８に示す如く、壁掛け用フック等に吊り下げ展示することもできる。
【００４９】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明の包装ボックスは花に限らず、台座上の宝石等を包装するものでも良い。
【産業上の利用可能性】
【００５０】
本発明は、包装ボックスにおいて、物品を保持する台座が設けられる支持板と、支持板の後縁部に起伏可能に連結される前開き状の筒体をなし、支持板に対して後方から立ち上がる起立状態への起立過程で支持板上の台座を後方から包み込み可能にする内カバーと、支持板の前縁部に起伏可能に連結される後開き状の筒体をなし、支持板に対して前方から立ち上がる起立状態への起立過程で支持板上の台座をすでに包み込んでいる起立状態の内カバーを前方から包み込む外カバーとを有してなるようにしたものである。これにより、物品を包装するとともに開封時にサプライズ効果を演出する包装ボックスにおいて、人や物品に損傷を与えることなく開封することができる。
【符号の説明】
【００５１】
１  花（物品）
１０  支持板
１１  後縁部
１２  前縁部
１３  側縁部
２０  内カバー
２１  後面板
２２  側面板
２３  天面板
２６  抱き付き片
３０  外カバー
３１  前面板
３２  側面板
３３  包み込み片
４０  つなぎ板
４１  谷折り罫線
５０  台座
１００  包装ボックス
【図１】
0005366986.tif 000002
【図２】
0005366986.tif 000003
【図３】
0005366986.tif 000004
【図４】
0005366986.tif 000005
【図５】
0005366986.tif 000006
【図６】
0005366986.tif 000007
【図７】
0005366986.tif 000008
【図８】
0005366986.tif 000009